(57)【要約】【課題】所望する濃度の純酸素が含まれる酸素水を簡単且つ容易に製造することができる酸素水の製造方法及び酸素水製造装置を提供する。【解決手段】酸素水製造装置１を構成する貯水タンク２内に飲料用の水Ｗを所望量貯水して密閉した後、貯水タンク２内の空気Ａ及び水Ｗに含まれる空気Ａを抜気装置８により略真空状態に抜気し、酸素充填容器１２から供給される純酸素Ｏを、略真空状態に抜気された貯水タンク２内の水Ｗ中に放出して、純酸素Ｏを、略真空状態に抜気された水Ｗに対して混合又は溶解させ、所望する濃度の純酸素Ｏが含まれる酸素水ＯＷを製造する。【選択図】  図１
2006068613.tif 000002
【特許請求の範囲】
【請求項１】
水供給手段から供給される飲料用の水を貯水タンクに貯水し、
上記貯水タンクに貯水された水に含まれる空気を抜気手段で略真空状態に抜気し、
上記抜気手段により略真空状態に抜気された貯水タンク内の水中に対して酸素供給手段から供給される純酸素を放出し、
上記貯水タンクに貯水された水に上記純酸素を混合又は溶解して製造する
酸素水の製造方法。
【請求項２】
飲料用の水が貯水される貯水タンクと、
上記貯水タンク内に対して上記水を供給する水供給手段と、
上記貯水タンクに貯水された水に含まれる空気を略真空状態に抜気する抜気手段と、
上記抜気手段により略真空状態に抜気された貯水タンク内の水中に対して純酸素を供給する酸素供給手段とを備えた
酸素水製造装置。
【請求項３】
上記貯水タンクを携帯可能な大きさに設けると共に、該貯水タンクに対して上記抜気手段と酸素供給手段とを接続可能及び分離可能に設けた
請求項１に記載の酸素水の製造方法又は請求項２に記載の酸素水製造装置。
【請求項４】
上記酸素供給手段から供給される純酸素の気泡を上記貯水タンク内の水中に放出する酸素放出手段を備えた
請求項１に記載の酸素水の製造方法又は請求項２に記載の酸素水製造装置。
【請求項５】
上記貯水タンクに貯水された水を攪拌する攪拌手段を備えた
請求項１に記載の酸素水の製造方法又は請求項２に記載の酸素水製造装置。
【請求項６】
上記貯水タンクに貯水された水を上記純酸素が溶解しやすい温度に冷却する冷却手段を備えた
請求項１に記載の酸素水の製造方法又は請求項２に記載の酸素水製造装置。
【発明の詳細な説明】
【技術分野】
【０００１】
この発明は、例えば運動時の疲労回復や運動機能回復、血液の浄化、体力増進、ストレス解消、新陳代謝の促進、美容、ダイエット等に用いられる酸素水の製造方法及び酸素水製造装置に関する。
【背景技術】
【０００２】
従来、上述の酸素水を製造する装置としては、例えば酸素が含まれる気体をチューブ内にブロアーで送風し、紫外線ランプの放射により生成したオゾン及び活性酸素と上述の気体とを、容器内の水中にノズルから噴出して溶解させ、活性酸素水を製造する特許文献１の活性酸素水製造装置と、酸素発生装置で発生した酸素を固相・気相接触装置で活性化させ、その酸素を、散気管から水槽の水中に気泡として放出し、水中溶存酸素を増大させる特許文献２の水中溶存酸素増大方法及びその装置とがある。
【０００３】
しかし、特許文献１の活性酸素水製造装置と、特許文献２の水中溶存酸素増大方法及びその装置は、水中に含まれる空気を抜気せずに、酸素を水中に噴出又は放出して活性酸素水を製造するか、水中溶存酸素を増大させるものであり、水中に空気が残っていると、酸素が殆ど混合又は溶解せず、飽和酸素量の酸素水を製造することができない。また、酸素を溶解及び水中溶存酸素の量を増大させるのに時間が掛かるという問題点を有している。
【０００４】
【特許文献１】特許第２６２３４９８号公報
【特許文献２】特開２０００−３３４２８２号
【発明の開示】
【発明が解決しようとする課題】
【０００５】
この発明は上記問題に鑑み、貯水タンクに貯水された水に含まれる空気を略真空状態に抜気した後、純酸素を、略真空状態に抜気された水中に混合又は溶解することにより、所望する濃度の純酸素が含まれる酸素水を簡単且つ容易に製造することができる酸素水の製造方法及び酸素水製造装置の提供を目的とする。
【課題を解決するための手段】
【０００６】
請求項１に記載した発明の酸素水の製造方法は、水供給手段から供給される飲料用の水を貯水タンクに貯水し、上記貯水タンクに貯水された水に含まれる空気を抜気手段で略真空状態に抜気し、上記抜気手段により略真空状態に抜気された貯水タンク内の水中に対して酸素供給手段から供給される純酸素を放出し、上記貯水タンクに貯水された水に上記純酸素を混合又は溶解して製造することを特徴とする。
【０００７】
請求項２に記載した発明の酸素水製造装置は、飲料用の水が貯水される貯水タンクと、上記貯水タンク内に対して上記水を供給する水供給手段と、上記貯水タンクに貯水された水に含まれる空気を略真空状態に抜気する抜気手段と、上記抜気手段により略真空状態に抜気された貯水タンク内の水中に対して純酸素を供給する酸素供給手段とを備えたとを特徴とする。
【０００８】
上述の水は、例えば飲料水や水道水、井戸水、天然水、深層水、蒸留水、ミネラルウォータ等で構成することができる。また、酸素は、例えば高濃度又は低濃度の純酸素、他の成分が含まれる複合酸素等で構成することができる。また、水供給手段は、例えば飲料水が充填されたペットボトルや柔軟袋、給水タンク、或いは、飲料水を供給する上水道や井戸、海水淡水化装置等で構成することができる。また、抜気手段は、例えば真空ポンプやバキューム、ブロワー等の抜気装置で構成することができる。また、酸素供給手段は、例えば純酸素が充填された携帯型又は小型の容器やタンク、ボンベ、純酸素を製造する純酸素製造装置、純酸素発生装置等で構成することができる。
【０００９】
つまり、水供給手段から供給される飲料用の水を貯水タンクに貯水し、貯水タンクに貯水された水に含まれる空気を抜気手段で略真空状態に抜気し、抜気手段により略真空状態に抜気された貯水タンク内の水中に対して酸素供給手段から供給される純酸素を放出し、純酸素を、貯水タンクに貯水された水中に混合又は溶解させて、酸素水を製造する。
【００１０】
請求項３に記載した発明の酸素水の製造方法及び酸素水製造装置は、上記貯水タンクを携帯可能な大きさに設けると共に、該貯水タンクに対して上記抜気手段と酸素供給手段とを接続可能及び分離可能に設けたことを特徴とする。つまり、抜気手段及び酸素供給手段を貯水タンクから分離して、酸素水が貯水された貯水タンクを携帯すれば、運動時や疲労時、所望する時間及び場所等において、純酸素が含まれる酸素水を酸素水を飲むことができる。
【００１１】
請求項４に記載した発明の酸素水の製造方法及び酸素水製造装置は、上記酸素供給手段から供給される純酸素の気泡を上記貯水タンク内の水中に放出する酸素放出手段を備えたことを特徴とする。つまり、例えば純酸素の気泡を噴出する噴射ノズルや多孔質部材等の酸素放出手段から放出される純酸素の気泡を、略真空状態に抜気された水中に放出して、水全体に対して略均一に混合及び溶解する。
【００１２】
請求項５に記載した発明の酸素水の製造方法及び酸素水製造装置は、上記貯水タンクに貯水された水を攪拌する攪拌手段を備えたことを特徴とする。つまり、貯水タンク内に対して純酸素を供給しながら、又は、純酸素を供給した後、貯水タンクに貯水された水を、例えばスクリューや羽根等の攪拌手段で攪拌して、純酸素を、水全体に対して略均一に混合又は溶解する。
【００１３】
請求項６に記載した発明の酸素水の製造方法及び酸素水製造装置は、上記貯水タンクに貯水された水を上記純酸素が溶解しやすい温度に冷却する冷却手段を備えたことを特徴とする。つまり、貯水タンクに貯水された水を純酸素が溶解しやすい温度に冷却又は保冷、保温すれば、水中に対して純酸素が溶解しやすくなる。
【発明の効果】
【００１４】
この発明によれば、貯水タンクに貯水された水に含まれる空気を略真空状態に抜気した後、純酸素を、略真空状態に抜気された水中に供給して混合又は溶解させるので、水中に含まれる空気によって純酸素の混合又は溶解が妨げられることがなく、純酸素が水中に対して効率よく混合及び溶解されるため、所望する濃度の純酸素が含まれる酸素水を簡単且つ容易に製造することができる。また、純酸素を、略真空状態に抜気された水中に対して一挙に放出するので、純酸素が水全体に対して略均一に混合又は溶解され、高品質の酸素水を製造することができる。
【発明を実施するための最良の形態】
【００１５】
この発明は、所望する濃度の純酸素が含まれる酸素水を簡単且つ容易に製造することができるという目的を、貯水タンクに貯水された水に含まれる空気を略真空状態に抜気した後、純酸素を、略真空状態に抜気された水中に混合又は溶解させることで達成することができる。
【実施例】
【００１６】
この発明の一実施例を以下図面に基づいて詳述する。
【００１７】
図面は、所望する濃度の純酸素が含まれる酸素水を製造する酸素水の製造方法及び酸素水製造装置を示し、図１、図２、図３に於いて、第１実施例の据付型の酸素水製造装置１は、飲料用の水Ｗが貯水される密閉型の貯水タンク２を、例えば略１リットル〜略５リットル等の範囲に含まれる所望量（実施例では略２リットル）の水Ｗが貯水される容積に形成し、所望する場所に対して据付可能及び移動可能に設けている。また、貯水タンク２の容積を、例えば略１リットル以下又は略５リットル以上に変更することもできる。
【００１８】
且つ、水供給手段の一例である水供給容器Ｂに充填された飲料用の水Ｗを注入するための口部２ａを、貯水タンク２に貯水される水Ｗの上限貯水レベルよりも上部の空間と連通して該貯水タンク２の上部又は側部に設け、例えば蓋や栓、キャップ等の閉塞体３を、貯水タンク２の口部２ａに対して開閉可能に設けている。また、所望する濃度の純酸素Ｏが含まれる酸素水ＯＷを注出するための注出口２ｂを、注出バルブ４を介して、貯水タンク２に貯水される水Ｗの下部貯水領域と連通して該貯水タンク１の底部（又は下部、側部）に設けている。
【００１９】
また、例えば上水道や井戸、給水タンク等の水供給手段から供給される飲料用の水Ｗを、貯水タンク２の口部２ａから直接注入することもできる。
【００２０】
且つ、抜気手段の一例である抜気装置８を接続するための抜気口２ｃを、貯水タンク２に貯水される水Ｗの上限貯水レベルよりも上部の空間と連通して該貯水タンク２の上部又は側部に設けている。その抜気口２ｃには、逆止バルブ５及び流量調節バルブ６、抜気路７を介して、貯水タンク２内の空気Ａ及び水Ｗに含まれる空気Ａを抜気するための抜気装置８を接続している。
【００２１】
上述の逆止バルブ５は、抜気装置８を駆動したときに発生する負圧で開動作され、貯水タンク２内の空気Ａ及び水Ｗに含まれる空気Ａの抜気を許容する。また、抜気装置８の駆動を停止するか、流量調節バルブ６を閉塞する等して、空気Ａの抜気を停止又は抜気路７を遮断すると、例えばコイルバネやゴム等の付勢手段により閉動作される。
【００２２】
且つ、酸素供給手段の一例である携帯型の酸素充填容器１２を接続するための供給口２ｄを、貯水タンク２に貯水される水Ｗの上限貯水レベルよりも上部の空間と連通して該貯水タンク２の上部又は側部に設けている。その供給口２ｄには、逆止バルブ９及び流量調節バルブ１０、供給路１１を介して、貯水タンク２に貯水された水Ｗ中に純酸素Ｏを供給するための酸素充填容器１２を接続している。また、酸素水ＯＷを製造するときに、酸素充填容器１２を接続してもよい。また、供給口２ｄを、貯水タンク２の底部又は下部に設けることもできる。
【００２３】
上述の逆止バルブ９は、流量調節バルブ１０を予め開放しておくと、酸素充填容器１２を供給路１１に接続したときに、酸素充填容器１２から供給される純酸素Ｏの圧力で開動作され、貯水タンク２に貯水された水Ｗ中に対する純酸素Ｏの供給を許容する。また、供給路１１の端部を酸素充填容器１２から抜き取るか、流量調節バルブ１０を閉塞する等して、純酸素Ｏの供給を停止又は供給路１１を遮断すると、例えばコイルバネやゴム等の付勢手段により閉動作される。
【００２４】
且つ、貯水タンク２に貯水された水Ｗ中に対して純酸素Ｏを噴出するための噴射ノズル１３の上端を、貯水タンク２の供給口２ｄに接続すると共に、その噴射ノズル１３の下端を、貯水タンク２内の底部近傍に至る長さに垂設している。
【００２５】
なお、上述の酸素充填容器１２には、例えば酸素発生装置（図示省略）で発生させた純酸素Ｏを、貯水タンク２に貯水された水Ｗ中に対して混合又は溶解するのに適した圧力でもって所定量充填している。
【００２６】
また、例えば酸素充填タンクや酸素製造装置、酸素発生装置等の酸素供給手段から供給される純酸素Ｏを、貯水タンク２に貯水された水Ｗ中に供給することもできる。
【００２７】
図示実施例は上記の如く構成するものにして、以下、上述の酸素水製造装置１による酸素水ＯＷの製造方法を説明する。
【００２８】
先ず、図１、図２に示すように、貯水タンク２の口部２ａから閉塞体３を取り外して、例えばペットボトルや柔軟袋等の水供給容器Ｂに充填された水Ｗを貯水タンク２内に所望量注入（略２リットル）する。
【００２９】
次に、貯水タンク２の口部２ａを閉塞体３で気密状態に密閉した後、抜気装置８を駆動し、流量調節バルブ６を開放して、逆止バルブ５を開動作させ、貯水タンク２内の空気Ａ及び水Ｗに含まれる空気Ａを強制的に抜き取って略真空状態に抜気する。
【００３０】
次に、水Ｗに含まれる空気Ａの抜気が完了した後、抜気装置８の駆動を停止するか、流量調節バルブ６を閉塞する等して、空気Ａの抜気を停止又は抜気路７を遮断し、逆止バルブ５を閉動作し、略真空状態を維持する。
【００３１】
次に、図３に示すように、流量調節バルブ１０を予め開放しておき、酸素充填容器１２を供給路１１に接続したときに供給される純酸素Ｏの圧力で逆止バルブ９を開動作させ、酸素充填容器１２から供給される純酸素Ｏの気泡を、貯水タンク２の噴射ノズル１３から水Ｗ中に向けて一挙に噴出又は放出すると共に、噴射ノズル１３から噴出される純酸素Ｏを、略真空状態に抜気された水Ｗ中に対して略飽和状態に混合又は溶解させ、所望する濃度の純酸素Ｏが含まれる酸素水ＯＷを製造する。
【００３２】
つまり、水Ｗ中に空気Ａが残っていると、純酸素Ｏが殆ど混合又は溶解せず、水Ｗ中に含まれる空気Ａを強制的に抜き取って略真空状態に抜気すれば、純酸素Ｏを、略真空状態に抜気された水Ｗ中に供給したとき、純酸素Ｏが水Ｗ中に対して効率よく略均一に混合及び溶解される。
【００３３】
次に、酸素水ＯＷの製造作業が完了した後、供給路１１の端部を酸素充填容器１２から抜き取るか、流量調節バルブ１０を閉塞する等して、純酸素Ｏの供給を停止又は供給路１１を遮断し、逆止バルブ９を閉動作する。
【００３４】
また、水Ｗに含まれる純酸素Ｏを補充する場合、或いは、純酸素Ｏの充填を継続する場合、使用済みの酸素充填容器１２を供給路１１から取り外し、未使用の酸素充填容器１２を供給路１１に接続して、酸素水ＯＷの製造作業を継続する。
【００３５】
次に、貯水タンク２に貯水された酸素水ＯＷを注出する場合、注出バルブ４を開放して、注出口２ｂから注出される酸素水ＯＷをコップＣに注ぎ入れて飲むか、注出口２ｂから直接飲む等して、酸素水ＯＷに含まれる純酸素Ｏを体内の消化器官から摂取するので、運動時の疲労回復や血液の浄化、ストレス解消等の効果が得られる。
【００３６】
また、注出口２ｂから注出される酸素水ＯＷを、例えばペットボトルや水筒、魔法瓶等に入れて携帯するか、冷蔵庫に保存しておくこともできる。
【００３７】
以上のように、酸素水製造装置１の貯水タンク２に貯水された水Ｗに含まれる空気Ａを抜気装置８により略真空状態に抜気した後、酸素充填容器１２から供給される純酸素Ｏを、略真空状態に抜気された貯水タンク２内の水Ｗ中に供給して混合又は溶解させるので、水Ｗ中に含まれる空気Ａによって純酸素Ｏの混合又は溶解が妨げられることがなく、純酸素Ｏが水Ｗ中に対して効率よく混合及び溶解されるため、所望する濃度の純酸素Ｏが含まれる酸素水ＯＷを簡単且つ容易に製造することができる。また、純酸素Ｏを、略真空状態に抜気された水Ｗ中に対して一挙に放出するので、純酸素Ｏが水Ｗ全体に対して略均一に混合又は溶解され、高品質の酸素水ＯＷを製造することができる。
【００３８】
図４は、酸素充填容器１２から供給される純酸素Ｏを、貯水タンク２内の底部に設けた多孔質の酸素放出装置１４から水Ｗ中に向けて放出する他の方法を示し、貯水タンク２内の空気Ａ及び水Ｗに含まれる空気Ａを抜気装置８により略真空状態に抜気した後、酸素充填容器１２から供給される純酸素Ｏの気泡を、貯水タンク２内の底部（又は下部、側部）に設けた多孔質の酸素放出装置１４から水Ｗ中に向けて放出し、微細小な純酸素Ｏを、略真空状態に抜気された水Ｗ中に対して混合又は溶解させ、所望する濃度の純酸素Ｏが含まれる略酸素飽和状態の酸素水ＯＷを製造するので、上述の第１実施例と略同等の作用及び効果を奏することができる。
【００３９】
また、純酸素Ｏを、貯水タンク２に貯水された水Ｗ中に供給しながら又は供給した後、貯水タンク２内の底部に設けた攪拌装置１５で攪拌すれば、純酸素Ｏを水Ｗ全体に対して略均一に混合又は溶解させることができ、純酸素Ｏが略均一に溶解された酸素水ＯＷを製造する作業が短い時間で行える。
【００４０】
また、貯水タンク２の底部又は側部に設けた冷却装置１６により、貯水タンク２に貯水された水Ｗを純酸素Ｏが溶解しやすい温度（例えば常温以下の温度）に冷却又は保冷、保温すれば、水Ｗ中に対して純酸素Ｏが溶解しやすくなり、純酸素Ｏが含まれる酸素水ＯＷを簡単且つ容易に製造することができる。或いは、純酸素Ｏが溶解しやすい温度に冷却された水Ｗを貯水タンク２に貯水してもよい。
【００４１】
図５、図６、図７は、所望する濃度の純酸素Ｏが含まれる酸素水ＯＷを携帯型の貯水タンク２０内で製造する第２実施例の酸素水製造装置１を示し、飲料用の水Ｗを、支持枠２１により起立状態に支持された貯水タンク２０内に所望量貯水（略２リットル）して密閉した後、貯水タンク２０内の空気Ａ及び水Ｗに含まれる空気Ａを抜気装置８により略真空状態に抜気する。また、飲料用の水Ｗが予め貯水された貯水タンク２０を支持枠２１にセットしてもよい。
【００４２】
次に、抜気装置８の駆動を停止し、酸素充填容器１２から供給される純酸素Ｏの気泡を、貯水タンク２０の噴射ノズル１３から水Ｗ中に向けて噴出すると共に、噴射ノズル１３から噴出される純酸素Ｏを、略真空状態に抜気された水Ｗ中に対して混合又は溶解させ、所望する濃度の純酸素Ｏが含まれる酸素水ＯＷを製造するので、上述の第１実施例と略同等の作用及び効果を奏することができる。
【００４３】
また、酸素水ＯＷの製造作業が完了した後、抜気装置８側の抜気路７及び酸素充填容器１２側の供給路１１を、貯水タンク２０の供給口２０ｄ及び抜気口２０ｃから抜き取り、酸素水ＯＷが貯水された貯水タンク２０を支持枠２１から抜き取って携帯すれば、運動時や疲労時、所望する時間及び場所等において、純酸素Ｏが含まれる酸素水ＯＷを飲むことができ、純酸素Ｏを簡単に摂取できる。また、酸素水ＯＷが貯水された貯水タンク２０を冷蔵庫や保冷庫等に保存しておくこともできる。
【００４４】
なお、上述の第２実施例に於いて、前述の第１実施例と同一構成の部分は同一の符号を記してその詳細な説明を省略する。図中の２０ａは口部、２０ｃは抜気口、２０ｄは供給口である。
【００４５】
この発明の構成と、上述の実施例との対応において、  
この発明の水供給手段は、実施例の水供給容器Ｂに対応し、  
以下同様に、  
抜気手段は、抜気装置８に対応し、  
酸素供給手段は、酸素充填容器１２に対応し、  
酸素放出手段は、噴射ノズル１３、酸素放出装置１４に対応し、  
攪拌手段は、攪拌装置１５に対応し、  
冷却手段は、冷却装置１６に対応するも、
この発明は、上述の実施例の構成のみに限定されるものではない。
【００４６】
上述の貯水タンク２，２０を、例えば２層構造の容器や断熱材で覆われた容器等で構成することもできる。
【００４７】
また、例えば上水道や井戸、給水タンク等の水供給手段と、酸素充填タンクや酸素製造装置や酸素発生装置等の酸素供給手段とを貯水タンク２，２０に接続して、水Ｗ及び純酸素Ｏを連続的に供給することもできる。
【００４８】
また、貯水タンク２，２０内の気圧を表示する気圧表示器、貯水量を表示する水量表示器等を設けることもできる。
【図面の簡単な説明】
【００４９】
【図１】第１実施例の酸素水製造装置による酸素水の製造方法を示す斜視図。
【図２】貯水タンク内の水に含まれる空気を抜気する方法を示す断面図。
【図３】純酸素の気泡を噴射ノズルから放出する方法を示す断面図。
【図４】純酸素の気泡を多孔質部材から放出する他の方法を示す断面図。
【図５】第２実施例の酸素水製造装置による酸素水の製造方法を示す斜視図。
【図６】貯水タンク内の水に含まれる空気を抜気する方法を示す断面図。
【図７】純酸素の気泡を噴射ノズルから放出する方法を示す断面図。
【符号の説明】
【００５０】
Ｂ…水供給容器
Ｗ…水
Ａ…空気
Ｏ…純酸素
ＯＷ…酸素水
１…酸素水製造装置
２，２０…貯水タンク
２ａ，２０ａ…口部
２ｂ…注出口
２ｃ，２０ｃ…抜気口
２ｄ，２０ｄ…供給口
３…閉塞体
８…抜気装置
１２…酸素充填容器
１３…噴射ノズル
１４…酸素放出装置
１５…攪拌装置
１６…冷却装置
【図１】
2006068613.tif 000003
【図２】
2006068613.tif 000004
【図３】
2006068613.tif 000005
【図４】
2006068613.tif 000006
【図５】
2006068613.tif 000007
【図６】
2006068613.tif 000008
【図７】
2006068613.tif 000009